(57)【特許請求の範囲】
【請求項１】
通信端末及び複数の車載カメラの位置情報を取得する位置情報取得手段と、
前記通信端末から捜査に係る通報を受け付ける受付手段と、
前記複数の車載カメラにて撮影された画像を取得する画像取得手段と、
前記通信端末及び前記車載カメラの位置情報に基づいて、前記複数の車載カメラの中から、前記受付手段が通報を受け付けた通信端末の位置を基準として決められる車載カメラを捜査利用カメラとして特定するカメラ特定手段と、
前記画像取得手段にて取得された画像の中から、前記捜査利用カメラにて撮影された画像を捜査用画像として特定する画像特定手段と、
前記捜査用画像を捜査用端末に送信する画像送信手段とを有し、
前記カメラ特定手段は、前記複数の車載カメラのうち、前記受付手段が通報を受け付けた通信端末の位置を基準として所定範囲内に存在する車載カメラを前記捜査利用カメラとして特定し、前記所定範囲を前記受付手段が前記通報を受け付けてからの時間の経過とともに広げていく、捜査支援システム。
【請求項２】
通信端末及び複数の車載カメラの位置情報を取得する位置情報取得手段と、
前記通信端末から捜査に係る通報を受け付ける受付手段と、
前記通信端末及び前記車載カメラの位置情報に基づいて、前記複数の車載カメラの中から、前記受付手段が通報を受け付けた通信端末の位置を基準として決められる車載カメラを捜査利用カメラとして特定するカメラ特定手段と、
前記捜査利用カメラにて撮影された画像を捜査用画像として取得する画像取得手段と、
前記捜査用画像を捜査用端末に送信する画像送信手段とを有し、
前記カメラ特定手段は、前記複数の車載カメラのうち、前記受付手段が通報を受け付けた通信端末の位置を基準として所定範囲内に存在する車載カメラを前記捜査利用カメラとして特定し、前記所定範囲を前記受付手段が前記通報を受け付けてからの時間の経過とともに広げていく、捜査支援システム。
【請求項３】
請求項１または請求項２に記載の捜査支援システムにおいて、
前記カメラ特定手段は、前記複数の車載カメラの時間経過に伴う移動後の位置を予測し、前記所定範囲及び前記車載カメラの位置情報、並びに前記予測した車載カメラの移動後の位置に基づいて、前記複数の車載カメラの中から少なくとも１つの車載カメラを前記捜査利用カメラとして特定する、捜査支援システム。
【請求項４】
請求項３に記載の捜査支援システムにおいて、
前記カメラ特定手段は、前記複数の車載カメラの移動予定ルートに基づいて前記複数の車載カメラの移動後の位置を予測する、捜査支援システム。
【請求項５】
請求項１乃至４のいずれか１項に記載の捜査支援システムにおいて、
捜査対象物の特定に利用可能な捜査用情報が登録されたデータベースと、
前記捜査用画像と前記捜査用情報とを照合する画像照合手段とを有し、
前記画像送信手段は、前記捜査用画像のうち、前記画像照合手段における照合結果に基づいて特定される捜査用画像のみを前記捜査用端末に送信する、捜査支援システム。
【請求項６】
請求項１乃至４のいずれか１項に記載の捜査支援システムにおいて、
前記受付手段が受けた通報に含まれる捜査用情報と前記捜査用画像とを照合する画像照合手段を有し、
前記画像送信手段は、前記捜査用画像のうち、前記画像照合手段における照合結果に基づいて特定される捜査用画像のみを前記捜査用端末に送信する、捜査支援システム。
【請求項７】
請求項１乃至６のいずれか１項の記載の捜査支援システムにおいて、
前記画像取得手段は、前記取得した画像をデータベースに登録し、当該データベースに登録した画像を一定時間経過後に削除する、捜査支援システム。
【請求項８】
請求項１乃至７のいずれか１項に記載の捜査支援システムにおいて、
前記位置情報取得手段は、複数の前記捜査用端末の位置情報を取得し、
前記画像送信手段は、前記複数の捜査用端末のうち、前記受付手段が通報を受け付けた通信端末の位置を基準として所定範囲内に存在する捜査用端末に前記捜査用画像を送信する、捜査支援システム。
【請求項９】
複数の車載カメラにて撮影された画像を取得する画像取得処理と、
前記複数の車載カメラの位置情報を取得するカメラ位置情報取得処理と、
通信端末から捜査に係る通報を受け付ける受付処理と、
前記通信端末の位置情報を取得する端末位置情報取得処理と、
前記通信端末及び前記車載カメラの位置情報に基づいて、前記複数の車載カメラの中から、前記受付処理にて通報を受け付けた通信端末の位置を基準として決められる車載カメラを捜査利用カメラとして特定するカメラ特定処理と、
前記画像取得処理にて取得した画像の中から、前記捜査利用カメラにて撮影された画像を捜査用画像として特定する画像特定処理と、
前記捜査用画像を捜査用端末に送信する画像送信処理とを有し、
前記カメラ特定処理にて、前記複数の車載カメラのうち、通報を受け付けた通信端末の位置を基準として所定範囲内に存在する車載カメラを前記捜査利用カメラとして特定し、前記所定範囲を前記受付処理にて前記通報を受け付けてからの時間の経過とともに広げていく、捜査支援方法。
【請求項１０】
複数の車載カメラの位置情報を取得するカメラ位置情報取得処理と、
通信端末から捜査に係る通報を受け付ける受付処理と、
前記通信端末の位置情報を取得する端末位置情報取得処理と、
前記通信端末及び前記車載カメラの位置情報に基づいて、前記複数の車載カメラの中から、前記受付処理にて通報を受け付けた通信端末の位置を基準として決められる車載カメラを捜査利用カメラとして特定するカメラ特定処理と、
前記捜査利用カメラにて撮影された画像を捜査用画像として取得する画像取得処理と、
前記捜査用画像を捜査用端末に送信する画像送信処理とを有し、
前記カメラ特定処理にて、前記複数の車載カメラのうち、通報を受け付けた通信端末の位置を基準として所定範囲内に存在する車載カメラを前記捜査利用カメラとして特定し、前記所定範囲を前記受付処理にて前記通報を受け付けてからの時間の経過とともに広げていく、捜査支援方法。
【発明の詳細な説明】
【技術分野】
【０００１】
本発明は、不審者や、事件や事故等の通報に対する捜査を支援する捜査支援システム及び捜査支援方法に関する。
【背景技術】
【０００２】
従来、不審者や、事件や事故等について通報があった場合、後日、捜査の担当者が現場に行き、周辺の店舗や街頭に設置された監視カメラを探し、その監視カメラの画像を解析することで、不審者や、事件や事故に関わった車両等の特定を行っていた。
【０００３】
ところが、屋外においては、不審者が目撃された場所や、事件や事故が発生した場所の周辺に設置された監視カメラを探すことにはかなりの労力が必要であり、また、監視カメラが設置されていない場所では、監視カメラの画像を用いて不審者や車両を特定することはできない。また、通報から日数が経ってしまうと、監視カメラに不審者や車両が映っていたとしても、捜査を開始する段階では不審者や車両がその場所から遠く離れた場所に移動している可能性が高く、不審者や車両を特定することが困難となってしまう。
【０００４】
ここで、特定の場所において、建物や部屋等に入室しようとする者の顔画像を撮影し、撮影した者の顔画像が予め登録されている顔画像と一致した場合、不審者の通報を行うシステムが特許文献１に開示されている。この技術を用いれば、特定の場所に何度も現れた不審者に対して有効な対策を講じることが可能となる。
【先行技術文献】
【特許文献】
【０００５】
【特許文献１】特開２００３−１０９１２９号公報
【発明の概要】
【発明が解決しようとする課題】
【０００６】
しかしながら、特許文献１に開示された技術においては、特定の場所で撮影された顔画像を用いて不審者の特定を行っているため、特定の場所以外の場所では、不審者が目撃されたり、事件や事故が発生したりしても、撮影された画像を用いて、不審者や、事件や事故に関わった車両等を特定することはできないという問題点がある。
【０００７】
本発明は、上述したような従来の技術が有する問題点に鑑みてなされたものであって、監視カメラ等が設置されていない場所においても、不審者が目撃されたり、事件や事故が発生したりした場合に、不審者や、事件や事故に関わった車両等の特定をしやすくすることができる捜査支援システム及び捜査支援方法を提供することを目的とする。
【課題を解決するための手段】
【０００８】
上記目的を達成するために本発明の捜査支援システムは、
通信端末及び複数の車載カメラの位置情報を取得する位置情報取得手段と、
前記通信端末から捜査に係る通報を受け付ける受付手段と、
前記複数の車載カメラにて撮影された画像を取得する画像取得手段と、
前記通信端末及び前記車載カメラの位置情報に基づいて、前記複数の車載カメラの中から、前記受付手段が通報を受け付けた通信端末の位置を基準として決められる車載カメラを捜査利用カメラとして特定するカメラ特定手段と、
前記画像取得手段にて取得された画像の中から、前記捜査利用カメラにて撮影された画像を捜査用画像として特定する画像特定手段と、
前記捜査用画像を捜査用端末に送信する画像送信手段とを有する。
【０００９】
また、本発明の捜査支援システムは、
通信端末及び複数の車載カメラの位置情報を取得する位置情報取得手段と、
前記通信端末から捜査に係る通報を受け付ける受付手段と、
前記通信端末及び前記車載カメラの位置情報に基づいて、前記複数の車載カメラの中から、前記受付手段が通報を受け付けた通信端末の位置を基準として決められる車載カメラを捜査利用カメラとして特定するカメラ特定手段と、
前記捜査利用カメラにて撮影された画像を捜査用画像として取得する画像取得手段と、
前記捜査用画像を捜査用端末に送信する画像送信手段とを有する。
【００１０】
また、本発明の捜査支援方法は、
複数の車載カメラにて撮影された画像を取得する画像取得処理と、
前記複数の車載カメラの位置情報を取得するカメラ位置情報取得処理と、
通信端末から捜査に係る通報を受け付ける受付処理と、
前記通信端末の位置情報を取得する端末位置情報取得処理と、
前記通信端末及び前記車載カメラの位置情報に基づいて、前記複数の車載カメラの中から、前記受付処理にて通報を受け付けた通信端末の位置を基準として決められる車載カメラを捜査利用カメラとして特定するカメラ特定処理と、
前記画像取得処理にて取得した画像の中から、前記捜査利用カメラにて撮影された画像を捜査用画像として特定する画像特定処理と、
前記捜査用画像を捜査用端末に送信する画像送信処理とを有する。
【００１１】
また、本発明の捜査支援方法は、
複数の車載カメラの位置情報を取得するカメラ位置情報取得処理と、
通信端末から捜査に係る通報を受け付ける受付処理と、
前記通信端末の位置情報を取得する端末位置情報取得処理と、
前記通信端末及び前記車載カメラの位置情報に基づいて、前記複数の車載カメラの中から、前記受付処理にて通報を受け付けた通信端末の位置を基準として決められる車載カメラを捜査利用カメラとして特定するカメラ特定処理と、
前記捜査利用カメラにて撮影された画像を捜査用画像として取得する画像取得処理と、
前記捜査用画像を捜査用端末に送信する画像送信処理とを有する。
【発明の効果】
【００１２】
本発明によれば、監視カメラ等が設置されていない場所においても、不審者が目撃されたり、事件や事故が発生したりした場合に、不審者や、事件や事故に関わった車両等の特定をしやすくすることができる。
【図面の簡単な説明】
【００１３】
【図１】本発明の捜査支援システムの第１の実施の形態を示す図である。
【図２】図１に示した通報者端末の構成を示すブロック図である。
【図３】図１に示した車載カメラの構成を示すブロック図である。
【図４】図１に示した特定解析サーバーの構成を示すブロック図である。
【図５】図１〜４に示した捜査支援システムにおける捜査支援方法を説明するためのフローチャートである。
【図６】本発明の捜査支援システムの第２の実施の形態を示す図である。
【図７】図６に示した位置取得サーバーの構成を示すブロック図である。
【図８】図６に示した画像解析サーバーの構成を示すブロック図である。
【図９】図６〜図７に示した捜査支援システムにおける捜査支援方法を説明するためのフローチャートである。
【図１０】本発明の捜査支援システムの第３の実施の形態を示す図である。
【図１１】図１０に示した位置取得サーバーの構成を示すブロック図である。
【図１２】図１０に示した画像解析サーバーの構成を示すブロック図である。
【図１３】図１０〜図１２に示した捜査支援システムにおける捜査支援方法を説明するためのフローチャートである。
【発明を実施するための形態】
【００１４】
以下に、本発明の実施の形態について図面を参照して説明する。
【００１５】
（第１の実施の形態）
図１は、本発明の捜査支援システムの第１の実施の形態を示す図である。図２は、図１に示した通報者端末１０の構成を示すブロック図である。図３は、図１に示した車載カメラ２０−１〜２０−ｎの構成を示すブロック図である。図４は、図１に示した特定解析サーバー５０の構成を示すブロック図である。
【００１６】
本形態は図１に示すように、通報者端末１０と、車載カメラ２０−１〜２０−ｎと、受付端末３０と、捜査用端末４０と、特定解析サーバー５０とが通信回線７０を介して接続可能に構成されている。また、特定解析サーバー５０は、不審者データベース６０にアクセス可能に構成されている。
【００１７】
通報者端末１０は、本願発明の通信端末となるものである。本形態における通報者端末１０は、携帯電話やスマートフォン等のＧＰＳ（Global Positioning System）機能と有するものであって、図２に示すように、位置情報取得部１１と、通信部１２と、通話部１３と、操作部１４と、情報処理部１５とを有している。ただし、ＧＰＳ機能を有しない電話機でも代用が可能である。
【００１８】
位置取得部１１は、例えば、ＧＰＳ機能を用いて通報者端末１０の位置情報を取得する。
【００１９】
通信部１２は、通報者端末１０が、受付端末３０や特定解析サーバー５０との間にて通信回線７０を介して情報をやりとりするためのものである。例えば、携帯電話やスマートフォンであれば、アンテナを含む通信モジュールだけでなく、通信の際に、通報者端末１０を識別する識別子を記憶しているＳＩＭカード等が含まれてもよい。
【００２０】
通話部１３は、マイクやスピーカー等から構成され、受付端末３０に通話によって送信する音声が入力されたり、受付端末３０から通話によって送信されてきて通信部１２にて受信された音声を出力したりする。
【００２１】
操作部１４は、表示部（不図示）上に積層されたタッチパネル等から構成され、受付端末３０に通報を行う場合に通報者が受付端末３０の電話番号等を入力するためのものである。
【００２２】
情報処理部１５は、位置取得部１１、通信部１２、通話部１３及び操作部１４間の情報や音声のやりとりを処理し、通報者端末１０にて入力あるいは取得された情報を通信部１２を介して受付端末３０や特定解析サーバー５０に送信する。
【００２３】
車載カメラ２０−１〜２０−ｎは、例えば、商用車（バス、タクシー、トラック、パトカー、救急車、消防車、宅配便、ごみ収集車等）の車両に搭載された通信機能を有するドライブレコーダー等であり、車両の移動に伴って撮影場所が移動する。車載カメラ２０−１〜２０−ｎは、図３に示すように、位置取得部２１と、撮影部２２と、通信部２３と、記憶部２５と、情報処理部２６とを有している。なお、車載カメラ２０−１〜２０−ｎは、車両の種類は自動車に限らず、自転車やバイク、リアカー等に搭載されたものであってもよい。
【００２４】
位置取得部２１は、例えば、ＧＰＳ機能を用いて車載カメラ２０−１〜２０−ｎの位置情報を取得する。
【００２５】
撮影部２２は、例えば車載カメラ２０−１〜２０−ｎが車両の前方に向けて搭載されている場合は、車両の前方を動画画像として撮影する。なお、車載カメラが車両の前方だけでなく、左右や後方に向けて搭載されている場合は、車両のその方向を動画画像として撮影する。撮影部２２における動画画像の撮影タイミングは、動画画像を常時撮影していても、特定の時間、特定解析サーバー５０から指示のあった時のみ撮影してもよい。
【００２６】
通信部２３は、位置取得部２１にて取得された車載カメラ２０−１〜２０−ｎの位置情報と、撮影部２２にて撮影された動画画像を通信回線７０を介して特定解析サーバー５０に送信するためのものである。なお、アンテナを含む通信モジュールだけでなく、携帯電話網の通信の際に車載カメラ２０−１〜２０−ｎを識別する識別子を記憶しているＳＩＭカード等が含まれてもよい。なお、ＳＩＭカード等は、通信部２３ではなく、記憶部２５に含まれていてもよい。
【００２７】
記憶部２５は、撮影部２２にて撮影された動画画像を、位置取得部２１にて取得された位置情報とともに一時的に記憶する。
【００２８】
情報処理部２６は、位置取得部２１、撮影部２２、通信部２３及び記憶部２５間の位置情報や動画画像等の情報のやりとりを処理し、車載カメラ２０−１〜２０−ｎにて取得された情報を通信部２３を介して特定解析サーバー５０に送信する。
【００２９】
受付端末３０は、本願発明における受付手段となるものであって、通報者端末１０からの捜査に係る通報を受け付ける。受付端末３０は、例えば、コールセンター等で用いる電話機能を有するソフトウェアが実行されたコンピュータに、通話に用いるハンドセット、ヘッドセットなどの送受話器が備わったもので実現される。
【００３０】
捜査用端末４０は、捜査員が所持する移動端末や、捜査車両に搭載された通信端末等から構成され、特定解析サーバー５０から送信された捜査用画像を受信する。捜査用端末４０は、例えば、携帯電話やスマートフォン等で実現される。捜査用端末４０の数は、１つでも複数でも構わない。
【００３１】
特定解析サーバー５０は、通報者端末１０及び車載カメラ２０−１〜２０−ｎの位置情報を通信回線７０を介して取得するとともに、車載カメラ２０−１〜２０−ｎにて撮影された動画画像を通信回線７０を介して取得し、車載カメラ２０−１〜２０−ｎにて撮影された動画画像の中から、通報者端末１０の位置情報に基づいて捜査用画像を特定し、捜査用端末４０に送信する。特定解析サーバー５０は、図４に示すように、通信部５１と、本願発明における位置情報取得手段となる通報者端末位置取得部５２及び車載カメラ位置取得部５３と、画像取得部５４と、カメラ特定部５５と、画像特定部５６と、通報情報取得部５７と、画像照合部５８と、画像送信部５９とを有している。特定解析サーバー５０は、例えば、サーバー用のコンピュータ等で実現される。特定解析サーバー５０は、複数の装置から構成されていてもよい。
【００３２】
通信部５１は、特定解析サーバー５０が、通報者端末１０や車載カメラ２０−１〜２０−ｎ、受付端末３０、捜査用端末４０との間にて通信回線７０を介して情報をやりとりするためのものである。通信部５１は、例えば、ＬＡＮコネクタや通信コントローラ等で実現される。
【００３３】
通報者端末位置取得部５２は、通報者端末１０から送信されてきた通報者端末１０の位置情報を通信部５１を介して取得する。
【００３４】
車載カメラ位置取得部５３は、車載カメラ２０−１〜２０−ｎから送信されてきた車載カメラ２０−１〜２０−ｎの位置情報を通信部５１を介して取得する。
【００３５】
画像取得部５４は、車載カメラ２０−１〜２０−ｎから送信されてきた動画画像を通信部５１を介して取得する。
【００３６】
カメラ特定部５５は、通報者端末位置取得部５２にて取得された通報者端末１０の位置情報と車載カメラ位置取得部５３にて取得された車載カメラ２０−１〜２０−ｎの位置情報とに基づいて、車載カメラ２０−１〜２０−ｎの中から、受付端末３０に通報を行った通報者端末１０の位置を基準として決められる車載カメラを捜査利用カメラとして特定する。
【００３７】
画像特定部５６は、画像取得部５４にて取得された動画画像の中から、カメラ特定部５５にて捜査利用カメラとして特定された車載カメラにて撮影された動画画像を捜査用画像として特定する。
【００３８】
通報情報取得部５７は、受付端末３０にて通報者端末１０から受け付けた通報に含まれる捜査用情報を通信部５１を介して取得する。
【００３９】
画像照合部５８は、画像特定部５６にて捜査用画像として特定された動画画像と、通報情報取得部５７にて取得された捜査用情報や不審者データベース６０に登録された捜査用情報とを照合する。
【００４０】
画像送信部５９は、画像特定部５６にて捜査用画像として特定された動画画像のうち、画像照合部５８における照合結果に基づいて特定される動画画像を通信部５１を介して捜査用端末４０に送信する。
【００４１】
なお、通報者端末位置取得部５２、車載カメラ位置取得部５３、画像取得部５４、カメラ特定部５５、画像特定部５６、通報情報取得部５７、画像照合部５８及び画像送信部５９は、例えば、ＣＰＵとメモリ、実行されたソフトウェア等により実現される。不審者データベース６０は、例えば、ネットワーク接続されたハードディスク装置または、ハードディスク装置を有しデータベースソフトウェアが実行されたサーバー等で実現される。
【００４２】
以下に、上記のように構成された捜査支援システムにおける捜査支援方法について説明する。
【００４３】
図５は、図１〜図４に示した捜査支援システムにおける捜査支援方法を説明するためのフローチャートである。
【００４４】
車載カメラ２０−１〜２０−ｎのそれぞれは、位置取得部２１において、車載カメラ２０−１〜２０−ｎの位置情報を取得するとともに、撮影部２２において、例えば車載カメラ２０−１〜２０−ｎが車両の前方に向けて搭載されている場合は、車両の前方を動画画像として撮影している。ここで、撮影部２２は、車載カメラ２０−１〜２０−ｎが車両の前方だけでなく後方や左右に向けて搭載されている場合は、車両のその方向を動画画像として撮影している。なお、位置情報と動画画像には、それぞれ時計部（不図示）から取得した日時を記憶しておくとよい。また、動画画像に位置情報を含めて記憶してもよい。本説明では、位置情報と動画画像とは別の情報として説明する。そして、位置取得部２１にて取得された位置情報と、撮影部２２にて撮影された動画画像とを通信部２３から送信する（ステップ１）。この際、位置取得部２１にて取得された位置情報と、撮影部２２にて撮影された動画画像とを対応づけておくため、これらの情報には、車載カメラ２０−１〜２０−ｎのそれぞれに付与されたカメラＩＤ等の識別情報を付与しておくことが考えられる。
【００４５】
車載カメラ２０−１〜２０−ｎから送信された位置情報と動画画像は、通信回線７０を介して特定解析サーバー５０の通信部５１が受信し、車載カメラ２０−１〜２０−ｎから送信された位置情報は車載カメラ位置取得部５３が取得し、車載カメラ２０−１〜２０−ｎから送信された動画画像は画像取得部５４が取得する（ステップ２）。なお、車載カメラ２０−１〜２０−ｎからの位置情報と動画画像の特定解析サーバー５０への送信は、常時行っていてもよいし、既定の時間ごとに行ってもよい。さらには、特定解析サーバー５０から所定のタイミングで送信される送信指示を車載カメラ２０−１〜２０−ｎが受信した場合に行ってもよい。送信指示は、例えば、後述する不審者を目撃した旨の通報が通報者端末１０から受付端末３０にあった時に、特定解析サーバー５０が車載カメラ２０−１〜２０−ｎに送信することが考えられる。位置情報と動画画像の送信を既定の時間ごとや送信指示により送信する場合は、車載カメラ２０−１〜２０−ｎは、撮影部２２にて撮影された動画画像を、位置取得部２１にて取得された位置情報とともに記憶部２５に一時的に記憶しておき、時計部が既定の時間を示した場合や特定解析サーバー５０から送信指示を受信した場合に、記憶部２５に記憶された動画画像を位置情報とともに特定解析サーバー５０に送信することになる。記憶部２５内の送信済みの動画画像と位置情報は消去するのが好ましい。また、位置情報と動画画像を送信指示により送信する場合、既定の一定時間（例：２４時間）分の動画画像と位置情報を記憶部２５に記憶しておき、それ以前の動画画像と位置情報は消去しても構わない。なお、動画画像の特定解析サーバー５０への送信停止は、不審者を確保した等のタイミングにて、特定解析サーバー５０から車載カメラ２０−１〜２０−ｎに送信停止指示を送信することで、行われるようにしてもよい。このようにして、車載カメラ２０−１〜２０−ｎは、位置取得部２１にて取得された位置情報と、撮影部２２にて撮影された動画画像を、常時、あるいは、既定の時間ごと、さらには、特定解析サーバー５０から送信された送信指示を受信したタイミングにて特定解析サーバー５０に送信することになる。
【００４６】
そのような状態において、受付端末３０の利用者が不審者や不審車両等（以下、不審者として説明する）を目撃した場合、利用者の操作に応じて、通報者端末１０が受付端末３０に電話をかけ接続する（通報する）と（ステップ３）、通報者端末１０は、受付端末３０の操作者が、操作対象物となる不審者の特定に利用可能な捜査用情報をヒアリングすることで、通話部１３を介して入力された音声を受付端末３０に送信するとともに、位置取得部１１にて取得した位置情報を通報とともに特定解析サーバー５０に送信する。通報者端末１０の位置情報の送信は、例えば、受付端末３０が警備会社や警察署内等の電話機である場合、警備会社や警察署等の電話交換機において取得して特定解析サーバー５０の通報者端末位置取得部５２に提供することが考えられる。また、通報者端末１０が、位置取得部１１を有さない一般電話機である場合は、電話交換機において通報者端末１０の局番等から通報者端末１０の位置がある程度把握できるため、この把握した位置を通報者端末１０の位置情報として特定解析サーバー５０の通報者端末位置取得部５２に提供することが考えられる。また、受付端末３０がコンピュータの場合は、通報者端末１０に位置情報の取得要求を送信し、通報者端末１０から受信した位置情報を特定解析サーバー５０の通報者端末位置取得部５２に提供してもよい。
【００４７】
このようにして特定解析サーバー５０の通報者端末位置取得部５２は、受付端末３０に不審者を目撃した旨の通報をした通報者端末１０の位置情報を取得する（ステップ４）。
【００４８】
また、特定解析サーバー５０は、通報情報取得部５７において、通報者端末１０から受付端末３０に送信されてきた音声に含まれる捜査用情報を受付端末３０から通信回線７０を介して取得する（ステップ５）。この捜査用情報は、通報者端末１０から受付端末３０に通報の際に送信された音声によるものであってもよいし、受付端末３０のオペレータによるキーボードへの入力や受付端末３０にて実行される音声認識ソフトウェアにより、音声を文字情報に変換したものであってもよい。
【００４９】
すると、特定解析サーバー５０においては、まず、カメラ特定部５５が、通報者端末位置取得部５２にて取得された通報者端末１０の位置情報と車載カメラ位置取得部５３にて取得された車載カメラ２０−１〜２０−ｎの位置情報とに基づいて、車載カメラ２０−１〜２０−ｎの中から、受付端末３０に通報を行った通報者端末１０の位置を基準として決められる車載カメラを捜査利用カメラとして特定する（ステップ６）。例えば、車載カメラ２０−１〜２０−ｎのうち、受付端末３０が通報を受け付けた通報者端末１０に最も近い位置に存在する車載カメラを捜査利用カメラとして特定することが考えられるが、車載カメラ２０−１〜２０−ｎのうち、受付端末３０が通報を受け付けた通報者端末１０の位置を中心として半径５００ｍ等、所定範囲内に存在する車載カメラを捜査利用カメラとして特定することも考えられる。その場合、通報者端末１０によって通報された不審者は、通報から時間の経過とともに目撃された場所から遠くに移動している可能性が高いため、カメラ特定部５５は、捜査利用カメラとして特定する所定範囲を、受付端末３０が通報を受け付けてからの時間の経過とともに広げ、その広げた範囲にその時点で存在する車載カメラを捜査利用カメラとして特定していくことが考えられる。そのような構成とすることで、通報者端末１０によって通報された不審者が、通報から時間の経過とともに移動したとしても、不審者が映っている可能性がある車載カメラを特定することができる。なお、捜査利用カメラとして特定する所定範囲を、通報者端末１０によって通報された不審者の進行方向に向けて広げてもよいし、通報者端末１０の位置を中心とした半径を広げてもよい。また、所定範囲を広げる速度は、通報者端末１０による通報により、不審者か不審車両かによって、変更してもよい。
【００５０】
また、カメラ特定部５５は、車載カメラ２０−１〜２０−ｎの移動した後の位置（以下「移動位置」とする）を予測し、通報者端末１０及び車載カメラ２０−１〜２０−ｎの位置情報、並びに予測した車載カメラ２０−１〜２０−ｎの移動後の位置に基づいて、車載カメラ２０−１〜２０−ｎの中から少なくとも１つの車載カメラを捜査利用カメラとして特定してもよい。その場合は、カメラ特定部５５において、車載カメラ２０−１〜２０−ｎから取得した車載カメラ２０−１〜２０−ｎのそれまでの位置情報の変化に基づいて、車載カメラ２０−１〜２０−ｎの移動方向や速度を判断し、車載カメラ２０−１〜２０−ｎのその通報から時間経過した後の移動位置を予測することが考えられる。なおこの場合、予め位置情報の記録の際に日時情報を記録しておく。また、上述した所定範囲での特定と移動位置の予測による特定を組み合わせてもよい。この場合、捜査利用カメラとして特定する所定範囲も、その通報から時間経過毎に広げていく。そして、既定時間後に予測した車載カメラ２０−１〜２０−ｎの移動位置が、捜査利用カメラとして特定する所定範囲内に入ると予測される場合、当該車載カメラ２０−１〜２０−ｎを捜査利用カメラとして特定してもよい。また、車載カメラ２０−１〜２０−ｎの位置が、捜査利用カメラとして特定する所定範囲外になった場合、当該車載カメラ２０−１〜２０−ｎを捜査利用カメラから除外してもよい。このように、特定した捜査利用カメラを、通報から経過した時間に応じて、予測した移動位置が所定範囲内か所定範囲外かを基準に、変更していくことが考えられる。また、車載カメラ２０−１〜２０−ｎが宅配便等の移動予定ルートが予め想定できる車両に搭載されている場合は、例えば、宅配便なら配送ルート、ごみ収集車なら回収ルート等をカメラ特定部５５に予め登録しておき、この配送ルート等を移動予定ルートとして用いて車載カメラ２０−１〜２０−ｎのその通報後の時間経過とともに変化する移動位置を予測してもよい。このように車載カメラ２０−１〜２０−ｎの移動位置を予測し、それに基づいて捜査利用カメラとして特定することで、車載カメラ２０−１〜２−ｎを搭載した車両が移動した場合でも、不審者が映っている可能性がある車載カメラを特定することができる。また、通報者端末１０によって通報された不審者が、通報から時間の経過とともに移動したとしても、車載カメラ２０−１〜２０−ｎを搭載した車両が移動することを利用して、不審者の移動に伴う方向に存在することが予測される車載カメラを特定することができる。なお、捜査利用カメラとして特定される車載カメラは１つとは限らない。
【００５１】
次に、画像特定部５６において、画像取得部５４にて取得された動画画像の中から、カメラ特定部５５にて捜査利用カメラとして特定された車載カメラにて撮影された動画画像を捜査用画像として特定する（ステップ７）。この際、上述したように、車載カメラ２０−１〜２０−ｎの位置情報と、車載カメラ２０−１〜２０−ｎにて撮影された動画画像とには、車載カメラ２０−１〜２０−ｎのそれぞれに付与されたカメラＩＤ等の識別情報が付与されているため、画像取得部５４にて取得された動画画像の中から、カメラ特定部５５にて捜査利用カメラとして特定された車載カメラの識別情報と同じ識別情報が付与されている動画画像を抽出することで、捜査利用カメラにて撮影された動画画像を特定することができる。なお、捜査利用カメラが複数の場合は、動画画像も複数となる。
【００５２】
次に、画像照合部５８において、画像特定部５６にて捜査用画像として特定された動画画像と、通報情報取得部５７にて取得された捜査用情報や不審者データベース６０に登録された捜査用情報とを照合する（ステップ８）。通報情報取得部５７においては、上述したように、通報者端末１０から受付端末３０への通報の際のヒアリングによる捜査用情報が取得されているため、画像照合部５８は、画像特定部５６にて捜査用画像として特定された動画画像の中に、通報情報取得部５７にて取得された捜査用情報に対応する不審者等が映っているかどうかを照合する。例えば、通報者端末１０から受付端末３０への通報の際のヒアリングによって、「黒い目出し帽」、「黒いリュック」という捜査用情報が取得されている場合、画像特定部５６にて捜査用画像として特定された動画画像の中に、「黒い目出し帽」を被り、「黒いリュック」を背負った人物が映っているかどうかを照合する。また、不審者データベース６０には、過去に不審者として検挙された人物の顔画像や特徴情報が登録されているため、画像照合部５８は、画像特定部５６にて捜査用画像として特定された動画画像の中に、不審者データベース６０に登録された情報に該当する不審者等が映っているかどうかを照合してもよい。また、通報者端末１０から受付端末３０への通報があった日時を用いて、捜査用画像の中から照合する動画画像の部分を絞り込んでもよい。なおこの場合、予め動画画像の記録の際に日時情報を記録しておく。なお、これら画像照合部５８における照合は、一般的な条件マッチングや画像マッチング技術を利用して行うことが考えられる。また、複数のシーンが捜査用画像の中から照合される場合もある。
【００５３】
その後、画像送信部５９において、画像特定部５６にて捜査用画像として特定された動画画像のうち、通報情報取得部５７にて取得された捜査用情報や不審者データベース６０に登録された捜査用情報によって特定される不審者が映っている動画画像を、その動画画像を撮影した車両カメラの位置情報とともに動画画像として通信部５１を介して捜査用端末４０に送信する（ステップ９）。その際、画像送信部５９において、動画画像を全て送信するのではなく、動画画像のうち不審者が映っているシーンまたはスナップショットを切り出し、一部の動画画像または静止画画像として送信してもよい。なお、画像特定部５６にて捜査用画像として特定された動画画像を全て画像送信部５９から送信してもよいが、画像特定部５６にて捜査用画像として特定された動画画像のうち、通報情報取得部５７にて取得された捜査用情報や不審者データベース６０に登録された捜査用情報によって特定される不審者が映っている動画画像や静止画画像を切り出し、画像送信部５９から送信することで、捜査員が不審者を特定しやすくすることができる。なお、送信する動画画像または静止画画像は複数でも構わない。
【００５４】
画像送信部５９から送信された動画画像は通信回線７０を介して捜査用端末４０にて受信され、捜査員は捜査用端末４０にて受信された動画画像を用いて捜査を行うことになる。
【００５５】
このように本形態においては、車載カメラ２０−１〜２０−ｎを利用し、不審者を目撃した旨の通報があった場合に、車載カメラ２０−１〜２０−ｎのうち、通報をした通報者端末１０の位置を基準として決められる車載カメラにて撮影された画像をリアルタイムで取得して捜査用端末４０に送信する構成としたため、監視カメラ等が設置されていない場所においても、不審者が目撃された場合に、不審者の特定をしやすくすることができる。また、不審者が目撃された場合に限らず、事件や事故が発生した場合に、その事件や事故を通報した通報者端末１０の位置を基準として決められる車載カメラにて撮影された画像をリアルタイムで取得して捜査用端末４０に送信することで、監視カメラ等が設置されていない場所においても、事件や事故が発生した場合に、事件や事故に関わった車両等の特定をしやすくすることができる。
【００５６】
なお、画像取得部５４にて車載カメラ２０−１〜２０−ｎから取得した動画画像は、データベースに登録され、上述した一連の処理に用いられることになるが、車載カメラ２０−１〜２０−ｎにて撮影された動画画像は、不審者や事件、事故の捜査に無関係のものがほとんどであるため、一定時間が経過した後にデータベースから削除することが好ましい。そのような構成とすることで、車載カメラ２０−１〜２０−ｎにて撮影された画像のうち捜査に特に必要ではない画像がいつまでも特定解析サーバー５０に保持されることがなくなり、車載カメラ２０−１〜２０−ｎにて撮影された画像に映っている人物のプライバシーが必要以上に侵されることが回避される。
【００５７】
（第２の実施の形態）
図６は、本発明の捜査支援システムの第２の実施の形態を示す図である。図７は、図６に示した位置取得サーバー８０の構成を示すブロック図である。図８は、図６に示した画像解析サーバー９０の構成を示すブロック図である。
【００５８】
本形態は図６に示すように、図１に示したものに対して、特定解析サーバー５０が位置取得サーバー８０と画像解析サーバー９０とに分離している点と、複数の捜査用端末４０−１〜４０−Ｎを有する点が異なるものである。なお、第１の実施の形態と同様の説明は省略する場合がある。
【００５９】
位置取得サーバー８０は、通報者端末１０及び捜査用端末４０−１〜４０−Ｎの位置情報を通信回線７０を介して取得し、これらを画像解析サーバー９０に通信回線７０を介して転送する。位置取得サーバー８０は、図７に示すように、通信部８１と、通報者端末位置取得部８２と、通報者端末位置転送部８３と、捜査用端末位置取得部８４と、捜査用端末位置転送部８５とを有している。位置取得サーバー８０は、例えば、パーソナルコンピュータやサーバー用のコンピュータ等で実現される。また、位置取得サーバー８０は、受付端末３０や交換機等の他の装置の一部として構成されていてもよい。
【００６０】
通信部８１は、位置取得サーバー８０が、通報者端末１０や受付端末３０、捜査用端末４０−１〜４０−Ｎ、画像解析サーバー９０との間にて通信回線７０を介して情報をやりとりするためのものである。通信部８１は、例えば、ＬＡＮコネクタや通信コントローラ等で実現される。
【００６１】
通報者端末位置取得部８２は、通報者端末１０から送信されてきた通報者端末１０の位置情報を通信部８１を介して取得する。
【００６２】
通報者端末位置転送部８３は、通報者端末位置取得部８２にて取得された通報者端末１０の位置情報を通信部８１を介して画像解析サーバー９０に転送する。
【００６３】
捜査用端末位置取得部８４は、捜査用端末４０−１〜４０−Ｎから送信されてきた捜査用端末４０−１〜４０−Ｎの位置情報を通信部８１を介して取得する。
【００６４】
捜査用端末位置転送部８５は、捜査用端末位置取得部８４にて取得された捜査用端末４０−１〜４０−Ｎの位置情報を通信部８１を介して画像解析サーバー９０に送信する。
【００６５】
なお、通報者端末位置取得部８２、通報者端末位置転送部８３、捜査用端末位置取得部８４及び捜査用端末位置転送部８５は、例えば、ＣＰＵとメモリ、実行されたソフトウェア等により実現される。
【００６６】
画像解析サーバー９０は、通報者端末１０及び捜査用端末４０−１〜４０−Ｎの位置情報を位置取得サーバー８０から取得するとともに、車載カメラ２０−１〜２０−ｎにて撮影された動画画像を車載カメラ２０−１〜２０−ｎの位置情報とともに通信回線７０を介して取得し、車載カメラ２０−１〜２０−ｎにて撮影された動画画像の中から、通報者端末１０の位置情報に基づいて捜査用画像を特定し、通報者端末１０の位置情報に基づいて特定される捜査用端末４０−１〜４０−Ｎに送信する。画像解析サーバー９０は、図８に示すように、通信部９１と、本願発明における位置情報取得手段となる通報者端末位置取得部９２、車載カメラ位置取得部９３及び捜査用端末位置取得部１０１と、画像取得部９４と、カメラ特定部９５と、画像特定部９６と、通報情報取得部９７と、画像照合部９８と、画像送信部９９と、捜査用端末特定部１０２とを有している。画像解析サーバー９０は、例えば、サーバー用のコンピュータ等で実現される。画像解析サーバー９０は、複数の装置から構成されていてもよい。
【００６７】
通信部９１は、画像解析サーバー９０が、車載カメラ２０−１〜２０−ｎや受付端末３０、捜査用端末４０−１〜４０−Ｎ、位置取得サーバー８０との間にて通信回線７０を介して情報をやりとりするためのものである。通信部５１は、例えば、ＬＡＮコネクタや通信コントローラ等で実現される。
【００６８】
通報者端末位置取得部９２は、位置取得サーバー８０から送信されてきた通報者端末１０の位置情報を通信部９１を介して取得する。
【００６９】
捜査用端末位置取得部１０１は、位置取得サーバー８０から送信されてきた捜査用端末４０−１〜４０−Ｎの位置情報を通信部９１を介して取得する。
【００７０】
車載カメラ位置取得部９３は、車載カメラ２０−１〜２０−ｎから送信されてきた車載カメラ２０−１〜２０−ｎの位置情報を通信部９１を介して取得する。
【００７１】
画像取得部９４は、車載カメラ２０−１〜２０−ｎから送信されてきた動画画像を通信部９１を介して取得する。
【００７２】
カメラ特定部９５は、通報者端末位置取得部９２にて取得された通報者端末１０の位置情報と車載カメラ位置取得部９３にて取得された車載カメラ２０−１〜２０−ｎの位置情報とに基づいて、車載カメラ２０−１〜２０−ｎの中から、受付端末３０に通報を行った通報者端末１０の位置を基準として決められる車載カメラを捜査利用カメラとして特定する。
【００７３】
画像特定部９６は、画像取得部９４にて取得された動画画像の中から、カメラ特定部９５にて捜査利用カメラとして特定された車載カメラにて撮影された動画画像を捜査用画像として特定する。
【００７４】
通報情報取得部９７は、受付端末３０にて通報者端末１０から受け付けた通報に含まれる捜査用情報を通信部９１を介して取得する。
【００７５】
画像照合部９８は、画像特定部９６にて捜査用画像として特定された動画画像と、通報情報取得部９７にて取得された捜査用情報や不審者データベース６０に登録された捜査用情報とを照合する。
【００７６】
捜査用端末特定部１０２は、通報者端末位置取得部９２にて取得された通報者端末１０の位置情報と捜査用端末位置取得部１０１にて取得された捜査用端末４０−１〜４０−Ｎの位置情報とに基づいて、捜査用画像を送信する捜査用端末を特定する。
【００７７】
画像送信部９９は、画像特定部９６にて捜査用画像として特定された動画画像のうち、画像照合部９８における照合結果に基づいて特定される動画画像を、捜査用端末４０−１〜４０−Ｎのうち捜査用端末特定部１０２にて特定された捜査用端末に通信部９１を介して送信する。
【００７８】
なお、通報者端末位置取得部９２、捜査用端末位置取得部１０１、車載カメラ位置取得部９３、画像取得部９４、カメラ特定部９５、画像特定部９６、通報情報取得部９７、画像照合部９８、捜査用端末特定部１０２及び画像送信部９９は、例えば、ＣＰＵとメモリ、実行されたソフトウェア等により実現される。
【００７９】
以下に、上記のように構成された捜査支援システムにおける捜査支援方法について説明する。
【００８０】
図９は、図６〜図７に示した捜査支援システムにおける捜査支援方法を説明するためのフローチャートである。
【００８１】
車載カメラ２０−１〜２０−ｎのそれぞれは、位置取得部２１において、車載カメラ２０−１〜２０−ｎの位置情報を取得するとともに、撮影部２２において、例えば車載カメラ２０−１〜２０−ｎが車両の前方に向けて搭載されている場合は、車両の前方を動画画像として撮影している。そして、位置取得部２１にて取得された位置情報と、撮影部２２にて撮影された動画画像とを通信部２３から送信する（ステップ１１）。この際、位置取得部２１にて取得された位置情報と、撮影部２２にて撮影された動画画像とを対応づけておくため、これらの情報には、車載カメラ２０−１〜２０−ｎのそれぞれに付与されたカメラＩＤ等の識別情報を付与しておくことが考えられる。
【００８２】
車載カメラ２０−１〜２０−ｎから送信された位置情報と動画画像は、通信回線７０を介して画像解析サーバー９０の通信部９１が受信し、車載カメラ２０−１〜２０−ｎから送信された位置情報は車載カメラ位置取得部９３が取得し、車載カメラ２０−１〜２０−ｎから送信された動画画像は画像取得部９４が取得する（ステップ１２）。なお、車載カメラ２０−１〜２０−ｎからの位置情報と動画画像の画像解析サーバー９０への送信は、第１の実施の形態にて示した車載カメラ２０−１〜２０−ｎから特定解析サーバー５０への送信と同様に、常時行っていてもよいし、既定の時間ごとに行ってもよい。さらには、画像解析サーバー９０から所定のタイミングで送信される送信指示を車載カメラ２０−１〜２０−ｎが受信した場合に行ってもよい。
【００８３】
そのような状態において、通報者端末１０から受付端末３０に不審者を目撃した旨の通報があった場合（ステップ１３）、通報者端末１０は、受付端末３０の操作者が不審者の特定に利用可能な捜査用情報をヒアリングすることで、通話部１３を介して入力された音声を受付端末３０に送信するとともに、位置取得部１１にて取得した位置情報を通報とともに位置取得サーバー８０に送信する。通報者端末１０から位置取得サーバー８０への位置情報の送信は、第１の実施の形態にて示した通報者端末１０から特定解析サーバー５０への送信と同様に行うことが考えられる。
【００８４】
また、捜査用端末４０−１〜４０−Ｎは、自身の捜査用端末４０−１〜４０−Ｎの位置情報を取得し、位置取得サーバー８０に送信する。位置取得サーバー８０の捜査用端末位置取得部８４が、捜査用端末４０−１〜４０−Ｎの位置情報を通信回線７０を介して取得する。そして、捜査用端末位置転送部８５が、捜査用端末４０−１〜４０−Ｎの位置情報を画像解析サーバ９０に転送することで、画像解析サーバー９０の捜査用端末位置取得部１０１が、捜査用端末４０−１〜４０−Ｎの位置情報を通信部９１を介して取得する。捜査用端末４０−１〜４０−Ｎの位置情報の、捜査用端末４０−１〜４０−Ｎから位置取得サーバー８０への送信または位置取得サーバー８０から画像解析サーバー９０への送信は、常時行っていてもよいし、既定の時間ごとに行ってもよいし、画像解析サーバー９０から送信される送信指示を位置取得サーバー８０が受信した場合に行ってもよい。画像解析サーバー９０から位置取得サーバー８０に送信される送信指示は、例えば、後述する捜査用端末特定部１０２において、捜査用端末４０−１〜４０−Ｎの中から、不審者が映っている動画画像を送信する捜査用端末を特定する時に、画像解析サーバー９０が位置取得サーバー８０に送信し、更に、位置取得サーバー８０が捜査用端末４０−１〜４０−Ｎに送信することが考えられる。
【００８５】
位置取得サーバー８０の通報者端末位置取得部８２が、受付端末３０に不審者を目撃した旨の通報をした通報者端末１０の位置情報を取得すると（ステップ１４）、位置取得サーバー８０の通報者端末位置転送部８３が、通報者端末位置取得部８２にて取得された通報者端末１０の位置情報を通信部８１を介して画像解析サーバー９０に転送する（ステップ１５）。
【００８６】
すると、位置取得サーバー８０の通報者端末位置転送部８３から転送された通報者端末１０の位置情報を画像解析サーバー９０の通報者端末位置取得部９２が通信部９１を介して取得する（ステップ１６）。
【００８７】
また、画像解析サーバー９０は、通報情報取得部９７において、通報者端末１０から受付端末３０に送信されてきた音声に含まれる捜査用情報を受付端末３０から通信回線７０を介して取得する（ステップ１７）。この捜査用情報は、通報者端末１０から受付端末３０に通報の際に送信された音声によるものであってもよいし、受付端末３０のオペレータによるキーボードへの入力や受付端末３０にて実行される音声認識ソフトウェアにより、音声を文字情報に変換したものであってもよい。
【００８８】
すると、画像解析サーバー９０においては、まず、カメラ特定部９５が、通報者端末位置取得部９２にて取得された通報者端末１０の位置情報と車載カメラ位置取得部９３にて取得された車載カメラ２０−１〜２０−ｎの位置情報とに基づいて、車載カメラ２０−１〜２０−ｎの中から、受付端末３０に通報を行った通報者端末１０の位置を基準として決められる車載カメラを捜査利用カメラとして特定する（ステップ１８）。捜査利用カメラの特定は、例えば、第１の実施の形態にて示した特定解析サーバー５０の動作と同様に行うことが考えられる。
【００８９】
次に、画像特定部９６において、画像取得部９４にて取得された動画画像の中から、カメラ特定部９５にて捜査利用カメラとして特定された車載カメラにて撮影された動画画像を捜査用画像として特定する（ステップ１９）。この際、上述したように、車載カメラ２０−１〜２０−ｎの位置情報と、車載カメラ２０−１〜２０−ｎにて撮影された動画画像とには、車載カメラ２０−１〜２０−ｎのそれぞれに付与されたカメラＩＤ等の識別情報が付与されているため、この識別情報を用いて、画像取得部９４にて取得された動画画像の中から、カメラ特定部９５にて捜査利用カメラとして特定された車載カメラにて撮影された動画画像を特定することができる。
【００９０】
次に、画像照合部９８において、画像特定部９６にて捜査用画像として特定された動画画像と、通報情報取得部９７にて取得された捜査用情報や不審者データベース６０に登録された捜査用情報とを照合する（ステップ２０）。これらの照合は、第１の実施の形態にて示した特定解析サーバー５０の動作と同様に行うことが考えられる。
【００９１】
次に、捜査用端末特定部１０２において、通報者端末位置取得部９２にて取得された通報者端末１０の位置情報と捜査用端末位置取得部１０１にて取得された捜査用端末４０−１〜４０−Ｎの位置情報とに基づいて、捜査用端末４０−１〜４０−Ｎの中から、受付端末３０に通報を行った通報者端末１０の位置を基準として所定範囲内に存在する捜査用端末を特定する（ステップ２１）。ここでの通報者端末１０の位置を基準として捜査用端末を特定する仕方は、第１の実施の形態にて、特定解析サーバー５０が通報者端末１０の位置を基準として決められる車載カメラを捜査利用カメラとして特定する説明で示したように行うことが考えられる。また、通報者端末１０の位置を基準にするのではなく、カメラ特定部９５にて捜査利用カメラとして特定された車載カメラの位置を基準にしてもよい。
【００９２】
その後、画像送信部９９において、画像特定部９６にて捜査用画像として特定された動画画像のうち、通報情報取得部９７にて取得された捜査用情報や不審者データベース６０に登録された捜査用情報によって特定される不審者が映っている動画画像を、その動画画像を撮影した車両カメラの位置情報とともに、動画画像として捜査用端末特定部１０２にて特定された捜査用端末に対して通信部９１を介して送信する（ステップ２２）。
【００９３】
画像送信部９９から送信された動画画像は通信回線７０を介して、捜査用端末特定部１０２にて特定された捜査用端末にて受信され、捜査員は捜査用端末にて受信された動画情報を用いて捜査を行うことになる。
【００９４】
このように本形態においても、車載カメラ２０−１〜２０−ｎを利用し、不審者を目撃した旨の通報があった場合に、車載カメラ２０−１〜２０−ｎのうち、通報をした通報者端末１０の位置を基準として決められる車載カメラにて撮影された画像をリアルタイムで取得して捜査用端末４０−１〜４０−Ｎに送信する構成としたため、監視カメラ等が設置されていない場所においても、不審者が目撃された場合に、不審者の特定をしやすくすることができる。また、不審者が目撃された場合に限らず、事件や事故が発生した場合に、その事件や事故を通報した通報者端末１０の位置を基準として決められる車載カメラにて撮影された画像をリアルタイムで取得して捜査用端末４０−１〜４０−Ｎに送信することで、監視カメラ等が設置されていない場所においても、事件や事故が発生した場合に、事件や事故に関わった人や車両等の特定をしやすくすることができる。
【００９５】
さらに、本形態においては、複数の捜査用端末４０−１〜４０−Ｎのうち、受付端末３０に通報を行った通報者端末１０の位置を中心として所定範囲内に存在する捜査用端末に対して捜査用画像を送信する構成としたため、不審者が目撃されたり事件や事故が発生したりした場所の周辺にいる捜査員がすぐに捜査に着手することができ、捜査員が不審者や車両等を発見しやすくなる。
【００９６】
（第３の実施の形態）
図１０は、本発明の捜査支援システムの第３の実施の形態を示す図である。図１１は、図１０に示した位置取得サーバー１８０の構成を示すブロック図である。図１２は、図１０に示した画像解析サーバー１９０の構成を示すブロック図である。なお、第１の実施の形態および第２の実施の形態と同様の説明は省略する場合がある。
【００９７】
本形態は図１０に示すように、図６に示したものに対して、位置取得サーバー１８０及び画像解析サーバー１９０の構成が異なるものである。また、捜査用端末４０は、第１の実施の形態にて示したものと同様に１つとなっているが、第２の実施の形態にて示したものと同様に複数でも構わない。
【００９８】
位置取得サーバー１８０は、通報者端末１０及び車載カメラ２０−１〜２０−ｎの位置情報を通信回線７０を介して取得し、通報者端末１０及び車載カメラ２０−１〜２０−ｎの位置情報に基づいて、車載カメラ２０−１〜２０−ｎの中から捜査利用カメラを特定し、特定した捜査利用カメラに対して、撮影した画像の画像解析サーバー１９０への送信を指示する。位置取得サーバー１８０は、図１１に示すように、通信部１８１と、本願発明における位置情報取得手段となる通報者端末位置取得部１８２及び車載カメラ位置取得部１８３と、カメラ特定部１８４と、画像送信指示部１８５とを有している。位置取得サーバー１８０は、例えば、パーソナルコンピュータやサーバー用のコンピュータ等で実現される。また、位置取得サーバー１８０は、受付端末３０や交換機等の装置の一部として構成されていてもよい。
【００９９】
通信部１８１は、位置取得サーバー１８０が、通報者端末１０や車載カメラ２０−１〜２０−ｎ、受付端末３０、捜査用端末４０、画像解析サーバー１９０との間にて通信回線７０を介して情報をやりとりするためのものである。通信部１８１は、例えば、ＬＡＮコネクタや通信コントローラ等で実現される。
【０１００】
通報者端末位置取得部１８２は、通報者端末１０から送信されてきた通報者端末１０の位置情報を通信部１８１を介して取得する。
【０１０１】
車載カメラ位置取得部１８３は、車載カメラ２０−１〜２０−ｎから送信されてきた車載カメラ２０−１〜２０−ｎの位置情報を通信部１８１を介して取得する。
【０１０２】
カメラ特定部１８４は、通報者端末位置取得部１８２にて取得された通報者端末１０の位置情報と車載カメラ位置取得部１８３にて取得された車載カメラ２０−１〜２０−ｎの位置情報とに基づいて、車載カメラ２０−１〜２０−ｎの中から、受付端末３０に通報を行った通報者端末１０の位置を基準として決められる車載カメラを捜査利用カメラとして特定する。
【０１０３】
画像送信指示部１８５は、カメラ特定部１８４にて捜査利用カメラとして特定された車載カメラに対して、撮影した画像の画像解析サーバー１９０への送信を指示するための画像送信指示を通信部１９１を介して送信する。
【０１０４】
なお、通報者端末位置取得部１８２、車載カメラ位置取得部１８３、カメラ特定部１８４及び画像送信指示部１８５は、例えば、ＣＰＵとメモリ、実行されたソフトウェア等により実現される。
【０１０５】
画像解析サーバー１９０は、車載カメラ２０−１〜２０−ｎのうち、位置取得サーバー１８０にて捜査利用カメラとして特定された車載カメラにて撮影された動画画像をその車載カメラの位置情報とともに通信回線７０を介して取得し、取得した動画画像を捜査用端末４０に送信する。画像解析サーバー１９０は、図１２に示すように、通信部１９１と、画像取得部１９２と、通報情報取得部１９３と、画像照合部１９４と、画像送信部１９５とを有している。画像解析サーバー１９０は、例えば、パーソナルコンピュータやサーバー用のコンピュータ等で実現される。また、画像解析サーバー１９０は、受付端末３０や交換機等の装置の一部として構成されていてもよい。
【０１０６】
通信部１９１は、画像解析サーバー１９０が、車載カメラ２０−１〜２０−ｎや受付端末３０、捜査用端末４０との間にて通信回線７０を介して情報をやりとりするためのものである。通信部１８１は、例えば、ＬＡＮコネクタや通信コントローラ等で実現される。
【０１０７】
画像取得部１９２は、車載カメラ２０−１〜２０−ｎのうち、位置取得サーバー１８０にて捜査利用カメラとして特定された車載カメラにて撮影された動画画像をその車載カメラの位置情報とともに通信部１９１を介して取得する。
【０１０８】
通報情報取得部１９３は、受付端末３０にて通報者端末１０から受け付けた通報に含まれる捜査用情報を通信部１９１を介して取得する。
【０１０９】
画像照合部１９４は、画像取得部１９２にて取得された動画画像と、通報情報取得部１９３にて取得された捜査用情報や不審者データベース６０に登録された捜査用情報とを照合する。
【０１１０】
画像送信部１９５は、画像取得部１９２にて取得された動画画像のうち、画像照合部１９４における照合結果に基づいて特定される動画画像を通信部１９１を介して捜査用端末４０に送信する。
【０１１１】
なお、画像取得部１９２、通報情報取得部１９３、画像照合部１９４及び画像送信部１９５は、例えば、ＣＰＵとメモリ、実行されたソフトウェア等により実現される。
【０１１２】
以下に、上記のように構成された捜査支援システムにおける捜査支援方法について説明する。
【０１１３】
図１３は、図１０〜図１２に示した捜査支援システムにおける捜査支援方法を説明するためのフローチャートである。
【０１１４】
車載カメラ２０−１〜２０−ｎのそれぞれは、位置取得部２１において、車載カメラ２０−１〜２０−ｎの位置情報を取得するとともに、撮影部２２において、例えば車載カメラ２０−１〜２０−ｎが車両の前方に向けて搭載されている場合は、車両の前方を動画画像として撮影している。そして、位置取得部２１にて取得された位置情報を通信部２３から送信する（ステップ３１）。この際、位置取得部２１にて取得された位置情報には、車載カメラ２０−１〜２０−ｎのそれぞれに付与されたカメラＩＤ等の識別情報を付与しておくことが考えられる。
【０１１５】
車載カメラ２０−１〜２０−ｎから送信された位置情報は、通信回線７０を介して位置取得サーバー１８０の通信部１８１が受信して車載カメラ位置取得部１８３が取得する（ステップ３２）。なお、車載カメラ２０−１〜２０−ｎからの位置情報の位置取得サーバー１８０への送信は、第１の実施の形態にて示した車載カメラ２０−１〜２０−ｎから特定解析サーバー５０への位置情報の送信と同様に、常時行っていてもよいし、既定の時間ごとに行ってもよいし、位置取得サーバー１８０から所定のタイミングで送信される送信指示を車載カメラ２０−１〜２０−ｎが受信した場合に行ってもよい。
【０１１６】
そのような状態において、通報者端末１０から受付端末３０に不審者を目撃した旨の通報があった場合（ステップ３３）、通報者端末１０は、受付端末３０の操作者が不審者の特定に利用可能な捜査用情報をヒアリングすることで、通話部１３を介して入力された音声を受付端末３０に送信するとともに、位置取得部１１にて取得した位置情報を通報とともに位置取得サーバー１８０に送信する。通報者端末１０から位置取得サーバー１８０への位置情報の送信は、第１の実施の形態にて示した受付端末１０から特定解析サーバー５０への送信と同様に行うことが考えられる。
【０１１７】
位置取得サーバー１８０の通報者端末位置取得部１８２が、受付端末３０に不審者を目撃した旨の通報をした通報者端末１０の位置情報を取得すると（ステップ３４）、位置取得サーバー１８０のカメラ特定部１８４が、通報者端末位置取得部１８２にて取得された通報者端末１０の位置情報と車載カメラ位置取得部１８３にて取得された車載カメラ２０−１〜２０−ｎの位置情報とに基づいて、車載カメラ２０−１〜２０−ｎの中から、受付端末３０に通報を行った通報者端末１０の位置を基準として決められる車載カメラを捜査利用カメラとして特定する（ステップ３５）。位置取得サーバー１８０による捜査利用カメラの特定は、例えば、第１の実施の形態にて示した特定解析サーバー５０の動作と同様に行うことが考えられる。
【０１１８】
次に、位置取得サーバー１８０の画像送信指示部１８５が、カメラ特定部１８４にて捜査利用カメラとして特定された車載カメラに対して、撮影した画像の画像解析サーバー１９０への送信を指示するための画像送信指示を通信部１９１を介して送信する（ステップ３６）。画像送信指示部１８５は、車載カメラ２０−１〜２０−ｎのアドレス等の宛先情報を、車載カメラ２０−１〜２０−ｎのそれぞれに付与されたカメラＩＤ等の識別情報と対応づけて管理しており、車載カメラ２０−１〜２０−ｎから送信されてきた位置情報に付与されたカメラＩＤ等の識別情報によってその車載カメラの宛先情報を認識することで、該当する車載カメラに画像送信指示を送信することができる。
【０１１９】
位置取得サーバー１８０から送信された画像送信指示が、捜査利用カメラとして特定された車載カメラにて受信されると（ステップ３７）、画像送信指示を受信した車載カメラは、撮影部２２にて撮影した動画画像を、車載カメラの位置情報とともに通信部２３を介して送信する（ステップ３８）。
【０１２０】
該当する車載カメラから送信された動画画像は、通信回線７０を介して画像解析サーバー１９０の通信部１９１が受信して画像取得部１９２が捜査用画像として取得する（ステップ３９）。
【０１２１】
また、画像解析サーバー１９０は、通報情報取得部１９３において、通報者端末１０から受付端末３０への通報の際に送信されてきた音声に含まれる捜査用情報を受付端末３０から通信回線７０を介して取得している。
【０１２２】
すると、画像照合部１９４において、画像取得部１９２にて捜査用画像として取得された動画画像と、通報情報取得部１９３にて取得された捜査用情報や不審者データベース６０に登録された捜査用情報とを照合する（ステップ４０）。これらの照合は、第１の実施の形態にて示した特定解析サーバー５０の動作と同様に行うことが考えられる。
【０１２３】
その後、画像送信部１９５において、画像取得部１９２にて捜査用画像として取得された動画画像のうち、通報情報取得部１９３にて取得された捜査用情報や不審者データベース６０に登録された捜査用情報によって特定される不審者が映っている動画画像を、その動画画像を撮影した車両カメラの位置情報とともに捜査用端末４０に対して通信部１９１を介して送信する（ステップ４１）。
【０１２４】
画像送信部１９５から送信された動画画像は通信回線７０を介して捜査用端末４０にて受信され、捜査員は捜査用端末４０にて受信された動画画像を用いて捜査を行うことになる。
【０１２５】
このように本形態においても、車載カメラ２０−１〜２０−ｎを利用し、不審者を目撃した旨の通報があった場合に、車載カメラ２０−１〜２０−ｎのうち、通報をした通報者端末１０の位置を基準として決められる車載カメラにて撮影された画像をリアルタイムで取得して捜査用端末４０に送信する構成としたため、監視カメラ等が設置されていない場所においても、不審者が目撃された場合に、不審者の特定をしやすくすることができる。また、不審者が目撃された場合に限らず、事件や事故が発生した場合に、その事件や事故を通報した通報者端末１０の位置を基準として決められる車載カメラにて撮影された画像をリアルタイムで取得して捜査用端末４０に送信することで、監視カメラ等が設置されていない場所においても、事件や事故が発生した場合に、事件や事故に関わった不審車両等の特定をしやすくすることができる。
【符号の説明】
【０１２６】
１０    通報者端末
１１，２１    位置取得部
１２，２３，５１，８１，９１，１８１，１９１    通信部
１３    通話部
１４    操作部
１５，２６    情報処理部
２２    撮影部
２５    記憶部
２０−１〜２０−ｎ    車載カメラ
３０    受付端末
４０，４０−１〜４０−Ｎ    捜査用端末
５０    特定解析サーバー
５２，８２，９２，１８２    通報者端末位置取得部
５３，９３，１８２    車載カメラ位置取得部
５４，９４，１９２    画像取得部
５５，９５，１８４    カメラ特定部
５６，９６    画像特定部
５７，９７，１９３    通報情報取得部
５８，９８，１９４    画像照合部
５９，９９，１９５    画像送信部
６０    不審者データベース
７０    通信回線
８０，１８０    位置取得サーバー
８３    通報者端末位置転送部
８４，１０１    捜査用端末位置取得部
８５    捜査用端末位置転送部
９０，１９０    画像解析サーバー
１０２    捜査用端末特定部
１８５    画像送信指示部
【図１】
0006986531.tif 000002
【図２】
0006986531.tif 000003
【図３】
0006986531.tif 000004
【図４】
0006986531.tif 000005
【図５】
0006986531.tif 000006
【図６】
0006986531.tif 000007
【図７】
0006986531.tif 000008
【図８】
0006986531.tif 000009
【図９】
0006986531.tif 000010
【図１０】
0006986531.tif 000011
【図１１】
0006986531.tif 000012
【図１２】
0006986531.tif 000013
【図１３】
0006986531.tif 000014